(57)【要約】【課題】従来の技術は、あくまで印刷物の部分的な網点の抜けをチェックするものであり、印刷原版ごとにユニークなドットパターンを識別するものではない。【解決手段】ドットパターンとそれ以外の文字または図柄が正しい組み合わせで印刷されているか確認する印刷情報確認システムであって、ドットパターンを生成し、記憶部に識別コードを付して記憶するドットパターン生成装置と、前記ドットパターン生成装置で生成されたドットパターンを印刷用のフィルム原版に焼き付けるドットパターン焼付け装置と、印刷物から、光学的に所定の場所単位でドットパターン情報を読み取って、識別コードを付して記憶部に記憶する光学読取装置と、光学読取装置の記憶部に記憶されたドットパターン情報とドットパターン生成装置に記憶されたドットパターン情報を照合する印刷情報照合装置と、を有する印刷情報確認システムを提供する。【選択図】  図１
2007258933.tif 000002
【特許請求の範囲】
【請求項１】
ドットパターンとそれ以外の文字または図柄が印刷され、ドットパターン上に電子ペンによって情報が記載されて使用される印刷物において、ドットパターンとそれ以外の文字または図柄が正しい組み合わせで印刷されているか確認する印刷情報確認システムであって、
ドットパターンを生成し、記憶部に識別コードを付して記憶するドットパターン生成装置と、
前記ドットパターン生成装置で生成されたドットパターンを印刷用のフィルム原版に焼き付けるドットパターン焼付け装置と、
印刷物から、光学的に所定の場所単位でドットパターン情報を読み取って、識別コードを付して記憶部に記憶する光学読取装置と、
光学読取装置の記憶部に記憶されたドットパターン情報と、ドットパターン生成装置に記憶されたドットパターン情報を照合する印刷情報照合装置と、
を有することを特徴とする印刷情報確認システム。
【請求項２】
請求項１に記載の印刷情報確認システムにおいて、
識別コードは、印刷物管理コードであることを特徴とする印刷情報確認システム。
【請求項３】
請求項２に記載の印刷情報確認システムにおいて、
印刷物管理コードは、文字または図柄を印刷する版に判別可能に形成され、印刷物に印刷されたことを特徴とする印刷情報確認システム。
【発明の詳細な説明】
【技術分野】
【０００１】
本発明は、印刷情報確認システムに関し、詳しくは、電子ペン専用用紙のドットパターン版とその他の印刷版が正しい組み合わせで印刷されていることを確認するための印刷情報確認システムに関する。
【背景技術】
【０００２】
近年、専用用紙上に電子ペンで情報を記載するだけで記載した情報が電子化されて送信させる便利な入力システムが提供されている。
それは、スウェーデンの「Ａｎｏｔｏ社」が開発したシステムで、アノトペンと呼ばれる電子ペン（以下、単に、電子ペンという）と所定のドットパターンが印刷された電子ペン専用用紙によって記載した情報をその場で電子化情報にするものである。
電子ペンは、通常の筆記部と、電子ペン専用用紙の記載面に印刷されたドットパターンを読み取るための撮像部と、Ｂｌｕｅｔｏｏｔｈ，または、ＵＳＢ対応の通信部等を搭載している。
電子ペンは、記載者が電子ペン専用用紙の上に電子ペンで文字などを記載すると、ペンの移動に伴って電子ペンの撮像部が電子ペン専用用紙上のドットパターンを読み取り、利用者が記載した文字などの入力データを電子データとして記憶する。記憶したデータは、前記通信部により、電子ペンから近くのパーソナルコンピュータや携帯電話などの通信端末に送信する。
【０００３】
前記「Ａｎｏｔｏ社」のシステムでは、前述のように電子ペンと、ドットパターンが印刷された電子ペン専用用紙を使用しなければならない。
まず、前記ドットパターンは、特殊なインキを使用するために、多くの場合単独で印刷される。そのためにドットパターンを印刷する版は、独立版として作製される。
また、ドットパターンのドットは微細であるために肉眼では判別することができない。
ドットパターンが印刷された後で文字版や図柄版が重ね刷りされた場合に、ドットパターン版とその他の印刷版が正しい組み合わせで印刷されていることを確認することは、極めて困難である。そして、誤って印刷された電子ペン専用用紙を使用すると、記入情報が正しくデータ化できないためにシステムが大混乱となる。
【０００４】
印刷のドットを管理するための装置として、「網点印刷検査装置及び方法」が提供されている（例えば、特許文献１参照）。
この発明は、網点印刷面を撮影して画像を取得する撮像手段と、前記取得された原画像から最大値フィルタ画像と最小値フィルタ画像を作成するフィルタ画像作成手段と、前記最大値フィルタ画像と前記最小値フィルタ画像の差分画像を作成する差分画像作成手段と、前記差分画像から、所定のしきい値により二値化画像を作成する二値化画像作成手段と、前記二値化画像に基づいて、点抜け領域の特徴量を解析する特徴量解析手段とを備えたことを特徴とするものであるとしている。
【０００５】
【特許文献１】特開２００２−２１６１１２号公報
【発明の開示】
【発明が解決しようとする課題】
【０００６】
特許文献１で開示されている技術は、あくまで印刷物の部分的な網点の抜けをチェックするものであり、印刷原版ごとにユニークなドットパターンを識別するものではない。
【課題を解決するための手段】
【０００７】
前記課題を解決するために、本発明の印刷情報確認システムの第一の発明は、ドットパターンとそれ以外の文字または図柄が印刷され、ドットパターン上に電子ペンによって情報が記載されて使用される印刷物において、ドットパターンとそれ以外の文字または図柄が正しい組み合わせで印刷されているか確認する印刷情報確認システムであって、ドットパターンを生成し、記憶部に識別コードを付して記憶するドットパターン生成装置と、前記ドットパターン生成装置で生成されたドットパターンを印刷用のフィルム原版に焼き付けるドットパターン焼付け装置と、印刷物から、光学的に所定の場所単位でドットパターン情報を読み取って、識別コードを付して記憶部に記憶する光学読取装置と、光学読取装置の記憶部に記憶されたドットパターン情報とドットパターン生成装置に記憶されたドットパターン情報を照合する印刷情報照合装置と、を有することを特徴とするものである。
【０００８】
また第二の発明は、第一の発明において、識別コードは、印刷物管理コードであることを特徴とするものである。
【０００９】
また第三の発明は、第二の発明において、印刷物管理コードは、文字または図柄を印刷する版に判別可能に形成され、印刷物に印刷されたことを特徴とするものである。
【発明の効果】
【００１０】
１）第一の発明のように、ドットパターンとそれ以外の文字または図柄が印刷され、ドットパターン上に電子ペンによって情報が記載されて使用される印刷物において、ドットパターンとそれ以外の文字または図柄が正しい組み合わせで印刷されているか確認する印刷情報確認システムであって、ドットパターンを生成し、記憶部に識別コードを付して記憶するドットパターン生成装置と、前記ドットパターン生成装置で生成されたドットパターンを印刷用のフィルム原版に焼き付けるドットパターン焼付け装置と、印刷物から、光学的に所定の場所単位でドットパターン情報を読み取って、識別コードを付して記憶部に記憶する光学読取装置と、光学読取装置の記憶部に記憶されたドットパターン情報と、ドットパターン生成装置に記憶されたドットパターン情報を照合する印刷情報照合装置と、を有することによって、本番印刷刷り出しの段階でドットパターンとその他の印刷図柄が正しい組み合わせで印刷されているか確認することができる。
２）また、第二，第三の発明のように、第一の発明において、識別コードは、印刷物管理コードで、文字または図柄を印刷する版に判別可能に形成され、印刷物に印刷されたことによって、印刷物の断ち切り部分または、仕上げの内側に数字や、文字で表示することができ、その数字を印刷情報照合装置に入力することによって、ドットパターン版が正しい組み合わせで使用されているか判断することができる。
【発明を実施するための最良の形態】
【００１１】
以下、図面を参照して、本発明の印刷情報確認システムについて説明する。
図１は、本発明の、印刷情報確認システムの装置校正及び印刷物について説明するための図，図２は、印刷情報確認システムにおける各装置を使用した印刷情報収集手順について説明するための図、図３は、ドットパターン版が正しい組み合わせで使用されているか判断する手順について説明するための図，図４は、電子ペンと専用用紙を使用した「Ａｎｏｔｏ社」のシステムの一例について説明するための図，図５は、電子ペンの一例について説明するための図，図６は、電子ペン読み取り専用のドットパターンについて説明するための図，である。
【００１２】
図１を参照して、本発明の印刷情報確認システムの装置構成及び印刷物について説明する。
ドットパターンは、ドットパターン生成装置２によって生成される。生成されたドットパターンは、記憶部２１に格納される。ドットパターンの詳細な説明は図６で説明する。
ドットパターン生成装置２では、同一のドットパターンが同一のアプリケーションでは使用できないようにプログラムされており、厳重に管理される。
【００１３】
ドットパターン焼付け装置１は、印刷物の大きさに合せてドットパターンをフィルム原版に焼き付ける。本実施の形態では、フィルム原版１０に焼き付ける際に、印刷物の右上が基点となるように焼付ける。従って、フィルム原版１０ではレジスト面の左上の隅が基点となる。
【００１４】
本印刷の前にプルーフ（図１では、ドットパターン印刷物５）を作製する。プルーフには、ドットパターン５０の他に図柄５１や、図示しないが記載した情報を送信するためにチェックマークを記載するチェックボックスや、文字などが印刷される。
プルーフは、印刷全体が指定どおり、イメージ通りにできているかの判断に使用されるためにプルーフに使用されるドットパターンはどのパターンが使用されてもよい。
本番印刷に使用されるドットパターンは、識別コード「Ａ００２」５２が付けられ保管される。そしてこの識別コード「Ａ００２」５２が印刷物管理コードとして、図柄５１の版、または、図示していない文字版に組み込まれて印刷される。
電子ペン（図示せず）に使用される光源は、赤外領域の光源である場合が多く、電子ペン読み取り用のドットパターン５０は、赤外領域で反射率が低いインキによって印刷され、ドットパターンが印刷されている面の、文字，図形，罫線，イラストなどは、赤外領域で反射率が高いインキによって印刷される。
【００１５】
プルーフが出来上がると依頼主による確認が行われ、「校了」後印刷作業に入る。
本印刷のために、図柄印刷用の版、文字印刷用の版、ドットパターン印刷用の版、校了となったプルーフがセットで印刷室に準備される。
本印刷の刷り出し段階で、ドットパターン版が指定どおりの版であるかの確認が行われる。
ドットパターンが印刷物５が、光学読取装置３によって読み取られ、ドットパターン情報が記憶部３１に記録される。光学読取装置３は、ドットパターンが印刷物５の右上隅から所定の距離、例えば、「Ｘ方向に３０ｍｍ，Ｙ方向に３０ｍｍ」にある２ｍｍ四方の単位情報を読み取る。
さらに、「Ｘ方向に５０ｍｍ，Ｙ方向に５０ｍｍ」にある２ｍｍ四方のの単位情報，「Ｘ方向に７０ｍｍ，Ｙ方向に７０ｍｍ」にある２ｍｍ四方のの単位情報の３箇所の単位情報を読み取って記憶部３１に記録する。
刷り出しの印刷物が光学読取装置３によって読み取られる前、または、読み取られた後に、入力手段によって印刷物に印刷された識別コード（印刷物管理コード）５２が入力され、記憶部３１に記録される
「Ａｎｏｔｏ社のシステムでは、約４ｍｍ2の内側に印刷されたドット群（３６個のドット）を１単位情報として扱っている。
【００１６】
記憶部３１に記録されたドットパターン情報は、印刷情報照合装置７で読み取られ、ドットパターン生成装置２の記憶部２１に格納されたドットパターン情報と照合される。照合の際、ドットパターン生成装置２の記憶部２１に格納されたドットパターン情報は、記憶部３１に記録された識別コードによって呼び出される。
図では、光学読取装置３と印刷情報照合装置７は、独立した装置として記載しているが、印刷情報照合装置７は光学読取装置３の中に組み込まれていて専用回線で接続されたドットパターン生成装置の記憶部２１に格納されているドットパターン情報と直接照合作業を行ってもよい。
照合の結果、図柄印刷用の版、文字印刷用の版、ドットパターン印刷用の版が正しい組み合わせになっていれば印刷が開始される。
【００１７】
図２、を参照して、印刷情報確認システムにおける各装置を使用した印刷情報収集手順について説明する。
先ず、ドットパターン生成装置２によってドットパターンが生成される（ステップ１：以下Ｓ１と記載する）。
Ｓ１で生成されたドットパターンデータ「Ａ００２」は、識別コードが付されて記憶部に保存される（Ｓ５）。
Ｓ１で生成されたドットパターンデータ「Ａ００２」は、ドットパターン焼付け装置１でドットパターン印刷用フィルムに焼付けられ、フィルム原版が作製される（Ｓ２）。
ドットパターン焼付け装置１とドットパターン生成装置２がネットワークで接続されている場合は、ドットパターンデータ「Ａ００２」を直接読み出して使用するが、接続されていない場合は、記録媒体に記録して使用する。
Ｓ２で作製されたドットパターン印刷用原版を使用して印刷のための版を作製する。
本番の印刷工程に入る前に、プルーフが作製され、依頼人（発注者）に確認してもらう。
ドットパターン印刷版は、他の図柄や、文字などの印刷版と共に印刷装置４に装着され、印刷物が作成される（Ｓ３）。
作製された印刷物のあらかじめ設定された位置のドットパターンデータ「Ａ００２１」がスキャナなどの光学読取装置３によって読み取られ、記録媒体に記録される（Ｓ４）。
【００１８】
図３を参照して、ドットパターン版が正しい組み合わせで使用されているか判断する手順について説明する
印刷情報照合装置は、Ｓ４で収集されたドットパターンデータ「Ａ００２１」を、Ｓ５で収集されたドットパターンデータ「Ａ００２」と照合する（Ｓ６）。
印刷物のあらかじめ設定された位置のドットパターンデータ「Ａ００２１」がドットパターンデータ「Ａ００２」の中の所定の位置に存在することが確認されると、印刷が開始される（Ｓ７）。
【００１９】
図４を一部参照して、電子ペンとドットパターンが印刷された電子ペン専用用紙を使用する「Ａｎｏｔｏ社」のシステムについて説明する。
電子ペン６は、通常の筆記部と、電子ペン専用用紙５の情報記載面に印刷されたドットパターン５０を読み取るための撮像部（図示せず）と、通信部（図示せず）等を搭載している。
電子ペン６は、記載者が電子ペン専用用紙５の記載面に電子ペンで文字などを記載すると、ペンの移動に伴って電子ペンに内蔵された撮像部が、ドットパターン５０によって表示された座標情報を読み取り、チェックボックス５３をチェックすることによって電子ペンの通信部が、接続された通信端末（図示せず）に読み取った座標情報を送信する。
通信端末が受信した前記座標情報は、ネットワークに接続された電子ペンシステム管理サーバ（図示せず）に送信される。電子ペンシステム管理サーバでテキストデータに変換された前記座標データは、利用者側のサーバや、前記通信端末に返信される。
通信端末内に電子ペンシステム管理サーバ機能が内蔵されている場合は、電子ペンシステム管理サーバ機能によってテキストデータに変換される。
【００２０】
図５を参照して、電子ペンについて説明する。
電子ペン６は、インクカートリッジ６０８を伴った筆記部６０６，ドットパターンを読み取るデジタルカメラによる撮像部６０５，デジタルカメラで読み取られた筆記情報（ドットパターンの座標情報）を記憶する記憶部６０３，携帯通信端末に座標情報を送信する通信部６０２，これらの機能を制御する制御部６０４，電子ペン用の圧力センサ６０７，図示しないが電源部，で構成され、これらを電子ペン６の筐体６０１の内部に搭載している。
電子ペン６は、電子ペン専用用紙に印刷されたドットパターン情報を撮像部６０５で読み取って記憶部６０３で記憶し、図示しないが、電子ペンのユニークな識別情報などと共に通信部６０２から携帯通信端末６に送信する。
通信部６０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、電子ペン６の筐体６０１に組み込まれた筆記部６０６は、単なる筆記具として使用することもできるようになっている。
【００２１】
筆記部６０６は、筆記情報を可視状態で記載部に残す役割の他に、デジタルカメラによる撮像部６０５と、ドットパターン印刷面との距離を一定にする役割を担っている。
筆記部６０６が電子ペン筐体６０１に装着されたときに、インクカートリッジ６０８側の先端が、電子ペン筐体６０１に取り付けられた電子ペン用の圧力センサ６０７に接触するようになっている。
この圧力センサ６０７は、情報の記載が開始されることを制御部６０４に伝える機能と、筆圧の強弱を認識する機能を備えている。
また、インクカートリッジ６０８の残量を確認する場合、または、インクを充填する場合は、例えば、筆記部６０６を電子ペン筐体６０１の先端から引き抜いてインクの残量確認、または、インクの充填を行う。
【００２２】
図６を参照して、電子ペン専用用紙に印刷された電子ペン専用のドットパターンについて説明する。図に示す縦横の仮想線は、説明し易くするために記載しており、実際には印刷されない。
電子ペン読み取り専用のドットパターン５００の各ドットは、０．３ｍｍ間隔で形成された直角に交わる縦横の仮想線の交点近傍に、それぞれ異なる４方向の何れかに配置され、形成されている。
「Ａｎｏｔｏ社」のシステムでは、３６個のドット（約４ｍｍ2の内側に印刷されたドット群）を１単位情報として扱っている。
【００２３】
電子ペンで、電子ペン専用用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン専用用紙の所定部（多くの場合、チェックボックス）を電子ペンでマークをすると、電子ペン専用用紙に記載した前記座標情報を電子ペンから通信端末の送信するようになっている。
「Ａｎｏｔｏ社」のシステムでは、一つのアプリケーションには、同一のドットパターンが利用されないように管理される。
【００２４】
前述の電子ペンシステム管理サーバについて説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。
【００２５】
前述の通信端末について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペン２から送信された情報を電子ペンシステム管理サーバに送信し、テキストデータなどに変換された情報として受信し、利用する。
【産業上の利用可能性】
【００２６】
電子ペン専用用紙に印刷されるドットパターンの生成から印刷までの印刷物情報管理に利用できる。
【図面の簡単な説明】
【００２７】
【図１】本発明の、印刷情報確認システムの装置構成及び印刷物について説明するための図である。
【図２】印刷情報確認システムにおける各装置を使用した印刷情報収集手順について説明するための図である。
【図３】ドットパターン版が正しい組み合わせで使用されているか判断する手順について説明するための図である。
【図４】電子ペンと専用用紙を使用した「Ａｎｏｔｏ社」のシステムの一例について説明するための図である。
【図５】電子ペンの一例について説明するための図である。
【図６】電子ペン読み取り専用のドットパターンについて説明するための図である。
【符号の説明】
【００２８】
１      ドットパターン焼付け装置
２      ドットパターン生成装置
３      光学読み取り装置
４      印刷装置
５      ドットパターン印刷物
６      電子ペン
７      印刷情報照合装置
１０    フィルム原版
２１，３１  記憶部
５０    印刷されたドットパターン
５１    図柄
５２    識別コード
５３    チェックボックス
５００  ドットパターン
６０１  筐体
６０２  通信部
６０３  記憶部
６０４  制御部
６０５  撮像部
６０６  筆記部
６０７  圧力センサ
６０８  インクカートリッジ
【図１】
2007258933.tif 000003
【図２】
2007258933.tif 000004
【図３】
2007258933.tif 000005
【図４】
2007258933.tif 000006
【図５】
2007258933.tif 000007
【図６】
2007258933.tif 000008